(57)【要約】【課題】遊技盤を本体部に装着する際の作業効率の向上を図ることのできる遊技機を提供する。【解決手段】遊技球が流下する遊技領域を備えた遊技盤１０と、遊技盤装着領域３０が形成され、遊技盤装着領域３０に遊技盤１０が装着される本体部２と、本体部２に設けられ、遊技盤１０を本体部２に固定する取付係合部２１０，２２０，２３０，２４０と、本体部２の遊技盤装着領域３０の周縁部から内側に向けて突出形成された上辺規制部材５１１，５１２および側辺規制部材５１５，５１６とを有する構成とする。上辺規制部材５１１，５１２には遊技盤１０の上辺が当接し、側辺規制部材５１５，５１６は遊技盤１０の側辺が当接し、これらの規制部材５１１，５１２，５１５，５１６により遊技盤１０の盤面に沿った方向の動きを規制する。【選択図】        図４
2006230780.tif 000002
【特許請求の範囲】
【請求項１】
遊技球が流下する遊技領域を備えた遊技盤と、
遊技盤装着領域が形成され、当該遊技盤装着領域に前記遊技盤が装着される本体部と、
前記本体部に設けられ、前記遊技盤を前記本体部に固定する固定部材と、
前記本体部の前記遊技盤装着領域の周縁部から内側に向けて突出形成され、前記遊技盤の少なくとも一辺が当接して当該遊技盤の盤面に沿った方向の動きを規制する規制部材と、
を有することを特徴とする遊技機。
【請求項２】
前記規制部材には、前記遊技盤の後方への動きを規制する段差部が形成されていることを特徴とする請求項１記載の遊技機。
【請求項３】
前記規制部材は、前記遊技盤の当接部分が前方に向かって開いたテーパ状になっていることを特徴とする請求項１記載の遊技機。
【請求項４】
前記規制部材は、
前記遊技盤の相互に対向する２つの側辺がそれぞれ当接する側辺規制部材、および前記遊技盤の上辺が当接する上辺規制部材である
ことを特徴とする請求項１〜３の何れか一項に記載の遊技機。
【請求項５】
前記上辺規制部材は、前記遊技盤の前面を係止することを特徴とする請求項４記載の遊技機。
【発明の詳細な説明】
【技術分野】
【０００１】
本発明は、遊技機に関し、特に遊技盤の本体部への取付構造に関するものである。
【背景技術】
【０００２】
遊技機、特にパチンコ遊技機においては、パチンコ遊技の興趣を高め、遊技者を飽きさせないように各種の役物や表示装置などに工夫を凝らした遊技盤が使用されている。そして、遊技盤を新規なものに容易に入れ替えできるように、遊技盤を本体部に対して着脱可能にしたものが多用されている。このようなパチンコ遊技機は、本体部の前面に形成された遊技盤取付領域に遊技盤を取り付けるようになっており、本体部の裏面側に、遊技動作の制御を行う制御板などが設置されている。
【０００３】
ここで、従来のパチンコ遊技機において、遊技盤を本体部に装着する際には、遊技盤を押えながら固定部材で固定するようにしていたため、作業員一人で取付作業を行う場合には負担が大きくなり、改善が望まれていた。
【０００４】
そこで、例えば特開２００２−２８２９２号公報には、遊技盤の裏面側を支持する裏面支持部に遊技盤を当接させ、遊技盤を本体部に対して一旦平行にしてから、遊技盤の表面側を支持する表面支持部にて前方向の動きを規制するように遊技盤をスライドさせて仮固定し、その後、固定部材にて遊技盤を本体部に固定するようにする技術が開示されている。
【０００５】
これによれば、遊技盤の仮固定ができるため、固定部材にて遊技盤を固定するときには両手が使えるようになり、作業効率が向上する。
【特許文献１】特開２００２−２８２９２号公報
【発明の開示】
【発明が解決しようとする課題】
【０００６】
しかしながら、上述した従来の技術では、仮固定の段階で、遊技盤の裏面側を裏面支持部に当接させなければならない。すると、遊技盤の前面を見ながらこの遊技盤を取り付ける作業においては、遊技盤の裏面側に位置する裏面支持部材は、通常の姿勢では視認することがでないので、仮固定しにくいという問題が生じる。
【０００７】
また、遊技盤を平行にしてスライドさせるという次の作業に進めないため、作業効率が悪い。
【０００８】
なお、裏面支持部を見ながら作業をしようとすると、ねじる姿勢をとって横方向に体を曲げなければならないので、無理な姿勢になり、やはり作業効率が悪化する。
【０００９】
そこで、本発明は、遊技盤を本体部に装着する際の作業効率の向上を図ることのできる遊技機を提供することを目的とする。
【課題を解決するための手段】
【００１０】
上記課題を解決するため、請求項１に記載の本発明の遊技機は、遊技球が流下する遊技領域を備えた遊技盤と、遊技盤装着領域が形成され、当該遊技盤装着領域に遊技盤が装着される本体部と、本体部に設けられ、遊技盤を本体部に固定する固定部材と、本体部の遊技盤装着領域の周縁部から内側に向けて突出形成され、遊技盤の少なくとも一辺が当接して当該遊技盤の盤面に沿った方向の動きを規制する規制部材と、を有することを特徴とする。
【００１１】
このように、規制部材は遊技盤装着領域の周縁部から内側に向けて突出形成されているので、規制部材の位置を目視確認しながら遊技盤を容易に遊技盤装着領域にはめ込むことができ、仮固定が簡単になって固定部材による遊技盤の固定作業に進みやすくなり、作業効率の向上を図ることが可能になる。
【００１２】
また、固定部材により遊技盤を本体部に固定した後では、規制部材は遊技盤の振動防止機能を果たすので、不快な振動の抑制された快適な遊技環境を遊技者に提供することが可能になる。
【００１３】
請求項２に記載の本発明は、請求項１に記載の発明の構成に加えて、規制部材には、遊技盤の後方への動きを規制する段差部が形成されていることを特徴とする。
【００１４】
このように、段差部により遊技盤の後方への動きをも規制できるので、仮固定がより確実になる。
【００１５】
請求項３に記載の本発明は、請求項１に記載の発明の構成に加えて、規制部材は、遊技盤の当接部分が前方に向かって開いたテーパ状になっていることを特徴とする。
【００１６】
このように、テーパ状の当接部分に遊技盤が当接することにより、遊技盤をスムーズに規制位置まで導くことがことが可能になる。
【００１７】
請求項４に記載の本発明は、請求項１〜３の何れか一項に記載の発明の構成に加えて、規制部材は、遊技盤の相互に対向する２つの側辺がそれぞれ当接する側辺規制部材、および遊技盤の上辺が当接する上辺規制部材であることを特徴とする。
【００１８】
このように、遊技盤の横方向の動きを側辺規制部材で規制し、上下方向の動きを上辺規制部材で規制して仮固定を行うので、より強固な仮固定を行うことが可能になる。
【００１９】
請求項５に記載の本発明は、請求項４記載の発明の構成に加えて、上辺規制部材は、遊技盤の前面を係止することを特徴とする。
【００２０】
これにより、さらに遊技盤の手前側への動きを規制することができるので、固定部材による遊技盤の固定作業を一層容易に行うことが可能になる。
【発明の効果】
【００２１】
本発明によれば以下の効果を奏することができる。
【００２２】
すなわち、本発明によれば、遊技盤を本体部に取り付ける際には、遊技盤の何れか一辺を本体部の遊技盤装着領域に取り付け、その後、規制部材に当接するまで遊技盤全体を遊技盤装着領域にはめ込むことで遊技盤の動きが規制されて仮固定される。このとき、規制部材は遊技盤装着領域の周縁部から内側に向けて突出形成されているので、規制部材の位置を目視確認しながら遊技盤を容易に遊技盤装着領域にはめ込むことができる。これにより、仮固定が簡単になって固定部材による遊技盤の固定作業に進みやすくなり、作業効率の向上を図ることが可能になる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態である遊技機を示す斜視図、図２は図１の遊技機の正面図、図３は図１の遊技機の遊技盤を示す正面図、図４は図１の遊技機において遊技盤を取り外した状態における内部構造を示す正面図、図５は図１の遊技機における取付係合部およびその周辺構造を示す斜視図、図６は図１の遊技機における遊技盤装着領域の向かって左側に設けられた上辺規制部材を示す斜視図、図７は図１の遊技機における遊技盤装着領域の向かって左側に設けられた側辺規制部材を示す斜視図、図８は図１の遊技機における遊技盤装着領域の向かって右側に設けられた側辺規制部材を示す斜視図、図９は図３の遊技盤を本体部に仮固定した状態における規制部材との関係を側面から示す説明図、図１０は図１の遊技機において遊技盤を取り付けた状態における内部構造を示す正面図、図１１は図３の遊技盤を本体部に仮固定した状態における変形例としての規制部材との関係を側面要部から示す説明図、図１２は図３の遊技盤を本体部に仮固定した状態における他の変形例としての規制部材との関係を側面要部から示す説明図である。
【００２５】
図１および図２に示すように、パチンコ遊技機（遊技機）１は、遊技盤１０（図３参照）が装着される本体部２と、本体部２内で遊技盤１０の背後に設けられる表示装置としての液晶表示装置（ＬＣＤ）２０（図４参照）と、この本体部２に取り付けられるガラス扉３、上皿部４、下皿部５、カバー６およびハンドル７とを備えている。
【００２６】
ガラス扉３および上皿部４は一体化して形成されており、この一体化された開閉扉（開閉体）は、その一端が本体部２に回動可能に軸支され、他端が本体部２に係合するようになっている。ガラス扉３は、可動可能に設けられた遊技盤１０を視認可能に被うものである。
【００２７】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２８】
上皿部４の下側に位置する下皿部５は、本体部２に固定されており、払い出しにより上皿４ａからオーバーフローした遊技球が貯留される下皿５ａを有している。
【００２９】
下皿部５の右側に設けられたハンドル７は、レール１１（図３参照）を介して遊技盤１０の遊技領域へ遊技球を打ち込む際に回動操作されるものであり、遊技球の発射を停止させるストップボタン（図示せず）が設けられている。
【００３０】
ガラス扉３の上側に位置するカバー６は本体部２に固定されており、カバー６の左右の部位６ａ，６ｂは、本体部２に設けられる左右のスピーカ（図示せず）にそれぞれ対応して、スピーカからの音声が聞こえるような構造になっている。
【００３１】
液晶表示装置（ＬＣＤ）２０は、演出画像（例えば、遊技状態に対応したアニメーションやその他の報知情報など。）等を表示可能な表示領域を備えている。
【００３２】
遊技盤１０は、図３に示すように、外レール１１ａおよび内レール１１ｂに包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、始動入賞口１４，１７を有する電動役物構成部材１８からなる遊技部材が配置されている。
【００３３】
遊技盤１０が透明である本実施の形態では、液晶表示装置２０の表示領域が遊技盤１０を通して視認可能に配置されている。また、液晶表示装置２０にかえて、例えばプラズマディスプレイ等の表示手段を用いることもできる。
【００３４】
ここで、図３に示すように四角形の遊技盤１０には、その４ヶ所の隅部に、本体部２に設けられた４ヶ所の取付係合部（固定部材）２１０，２２０，２３０，２４０（図４参照）と係合する取付部１１０，１２０、１３０，１４０が設けられている。
【００３５】
取付部１１０は遊技盤１０の向かって左斜め上方に開口した扇形の切り欠き、取付部１３０は遊技盤１０の向かって右斜め上方に開口した扇形の切り欠きで形成されている。また、取付部１２０には、遊技盤１０の向かって左側方に突出したピン部１２１が設けられ、取付部１４０には、遊技盤１０の向かって右側方に突出したピン部１４１が設けられている。
【００３６】
図４に示すように、本体部２には、遊技盤１０を固定するための領域である遊技盤装着領域３０の上下左右４ヶ所の角部に、遊技盤１０の取付部１１０，１２０、１３０，１４０（図３参照）のそれぞれと係合する取付係合部２１０，２２０，２３０，２４０が設けられている。なお、図４は、上記一体化された開閉扉（ガラス扉３および上皿部４）を開放（全開放）し、本体部２に対し液晶表示装置２０を取り付けるとともに遊技盤１０を取り外した状態を示している。
【００３７】
取付係合部２１０，２３０は、遊技盤１０の取付部１１０，１３０をそれぞれ圧接支持するものである。取付係合部２１０は、本体部２との間で遊技盤１０を圧接支持する図示しない圧接部を有し、この圧接部が遊技盤１０を圧接支持する支持位置と遊技盤を取り外し可能にする退避位置とに移動する可動部材２１０ａと、本体部２に取り付けられ、可動部材２１０ａを支持位置と退避位置との間で摺動可能に支持するベース部２１０ｂとを有している（図６参照）。
【００３８】
取付係合部２２０は、図５に示すように、本体部２の前方向から取付部１２０のピン部１２１を受け入れて、このピン部１２１を所定の位置において前方向への動き（つまり遊技盤１０の前方向への動き）を規制する。すなわち、本体部２の前方向から取付部１２０のピン部１２１を受け入れ、このピン部１２１を下方向の支持位置（凹部）３１１へ案内する案内溝３１０と、支持位置（凹部）３１１においてピン部１２１の前方向への動きを規制する前方向規制部３２０と、図示しない可動規制部を回動可能に支持する軸部３３０とを有している。
【００３９】
なお、取付係合部２３０は取付係合部２１０と左右対称の形状となっているだけで基本的な構造は同一であり、また、取付係合部２４０は取付係合部２２０と左右対称の形状となっているだけで基本的な構造は同一のため、何れも重複した図示および説明は省略されている。
【００４０】
続けて、図４を参照して説明する。
【００４１】
本体部２の遊技盤装着領域３０には、その周縁部から内側に向けて、規制部材が設けられている。
【００４２】
すなわち、遊技盤装着領域３０の上方周縁部の左右２カ所には、遊技盤１０の上辺が当接して遊技盤１０の盤面上方向に沿った動きを規制する上辺規制部材５１１，５１２が取付係合部２１０の固定位置と取付係合部２３０の固定位置との間に位置して設けられている。
【００４３】
また、遊技盤装着領域３０の２カ所の側方周縁部には、遊技盤１０の相互に対向する２つの側辺がそれぞれ当接して遊技盤１０の盤面横方向に沿った動きを規制する側辺規制部材５１５，５１６が中央よりも下方位置に設けられている。側辺規制部材５１５は取付係合部２１０の固定位置と取付係合部２２０の固定位置との間に位置して遊技盤１０の向かって左方向への動きを規制しており、側辺規制部材５１６は取付係合部２３０の固定位置と取付係合部２４０の固定位置との間に位置して遊技盤１０の向かって右方向への動きを規制している。
【００４４】
ここで、本実施の形態では、上辺規制部材５１１，５１２が２カ所に、側辺規制部材５１５，５１６が同じく２カ所（左右１カ所ずつ）に、それぞれ設けられているが、何れか１カ所に形成されていれば足りる。つまり、規制部材は、遊技盤１０の少なくとも一辺が当接して遊技盤１０の盤面に沿った方向の動きを規制するものであればよい。
【００４５】
さらに、取付係合部２２０の固定位置と取付係合部２４０の固定位置との間であって、当該２つの固定位置間を結ぶ線分よりも下方位置には、遊技盤１０の下方向の動きを規制する下辺規制部材５１３，５１４が設けられている。なお、取付係合部２２０，２４０とそれぞれ係合する取付部１２０，１４０により遊技盤１０の下方向への動きが規制できれば、下辺規制部材５１３，５１４は設けられていなくてもよい。
【００４６】
上辺規制部材５１１には、図６に示すように、遊技盤１０の上側端面および裏面と接する段差部５１１ａが形成されている。なお、図示は省略されているが、上辺規制部材５１２にも、遊技盤１０の上側端面および裏面と接する段差部が形成されている。また、側辺規制部材５１５には、図５および図７に示すように、遊技盤１０の左側端面（遊技盤１０を表面から見て左）および裏面と接する段差部５１５ａが形成されている。さらに、側辺規制部材５１６には、図８に示すように、遊技盤１０の右側端面（遊技盤１０を表面から見て右）および裏面と接する段差部５１６ａが形成されている。
【００４７】
このような段差部によって、遊技盤１０は、盤面に沿った方向への動きが規制されるとともに、後方への動きも規制されている。但し、規制部材には、段差を形成することなく、遊技盤１０の側辺が当接して盤面方向の動きのみを規制するようになっていてもよい。
【００４８】
下辺規制部材５１３は、図５に示すように、コ字型の形状を有しており、このコ字型形状の平坦な部位の両側から突出している部位（凸部）５１３ａの先端面が、遊技盤１０の下端面と接するようになっている。しかも、下辺規制部材５１３は、当該遊技盤１０の下方向の動きを規制すべく本体部２の所定の位置に固着されている。下辺規制部材５１４も、下辺規制部材５１３と同様の構造および本体部２の所定の位置に固着されている。
【００４９】
これら規制部材５１１〜５１６は、遊技盤１０に取り付けられた取付部１２０，１４０のピン部１２１，１４１を取付係合部２２０，２４０が受け入れてピン部１２１，１４１の前方向への動きを規制した状態において遊技盤１０を規制部材５１１〜５１６に当接させると、遊技盤１０の盤面に沿った方向への動き（すなわち、上下方向あるいは左右方向の動き）を規制するようになっている。
【００５０】
なお、液晶表示装置２０の下側は本体部２に形成された段部５１７，５１８の上面によって支持されている。
【００５１】
このような、遊技盤１０を本体部２に取り付ける際には、図９において、遊技盤１０の何れか一辺（ここでは、ピン部１２１，１４１を取付係合部２２０，２４０にはめ込んで下辺）を本体部２の遊技盤装着領域３０に取り付ける。これにより、遊技盤１０は図９の２点鎖線で示す状態、つまりピン部１２１，１４１を支点に回動可能な状態になる。
【００５２】
続いて、遊技盤１０を回動して起こし、規制部材５１１，５１２，５１５，５１６に当接するまで（規制部材５１１，５１２，５１５，５１６に段差部が形成された本実施の形態においては、規制部材５１１，５１２，５１５，５１６の段差部に当接するまで）遊技盤１０全体を遊技盤装着領域３０にはめ込む。これにより、遊技盤１０は図９の実線で示す状態、つまり遊技盤１０が正面を向いた状態なるとともに、規制部材５１１，５１２，５１５，５１６により盤面に沿った方向の動きが規制されて仮固定される。
【００５３】
なお、遊技盤１０が本体部２に仮固定された状態を図１０に示す。
【００５４】
さて、前述のように、規制部材５１１，５１２，５１５，５１６は遊技盤装着領域３０の周縁部から内側に向けて突出形成されている。これにより、このような一連の遊技盤１０の取付作業において、作業者の視線からは、遊技盤１０がどのような回動位置にあろうとも、規制部材５１１，５１２，５１５，５１６が遊技盤１０により隠蔽されて視認不能になることはない。したがって、作業者は、遊技盤１０の向こうに見える規制部材５１１，５１２，５１５，５１６の位置を目視確認しながら、遊技盤１０を容易に遊技盤装着領域３０にはめ込んで仮固定を行うことができる。
【００５５】
なお、仮固定の手順はこれに限定されるものではなく、例えば遊技盤１０を規制部材５１１，５１２に当接させておいてピン部１２１，１４１を取付係合部２２０，２４０にはめ込むなど、遊技盤１０の下辺以外の辺から取り付けを開始してもよい。
【００５６】
仮固定を行ったならば、次に遊技盤１０の固定作業を行う。固定作業は、取付係合部２１０，２３０の可動部材２１０ａ（取付係合部２３０の可動部材は図示せず）を回転させて圧接部を遊技盤支持位置に移動し、取付係合部２１０，２３０で遊技盤１０の係合部１１０，１３０をそれぞれ圧接支持するものである。これにより、遊技盤１０は本体部２の遊技盤装着領域３０に固定される（本固定）。
【００５７】
このように、本願のパチンコ遊技機１によれば、規制部材５１１，５１２，５１５，５１６が遊技盤装着領域３０の周縁部から内側に向けて突出形成されているので、作業者は、これら規制部材５１１，５１２，５１５，５１６の位置を目視確認しながら遊技盤１０を容易に遊技盤装着領域３０にはめ込むことができる。これにより、遊技盤１０の仮固定が簡単になって取付係合部２１０，２３０による遊技盤１０の固定作業に進みやすくなり、作業効率の向上を図ることが可能になる。
【００５８】
本固定された後は、規制部材５１１，５１２，５１５，５１６は遊技盤１０の盤面に沿った方向への動きを規制するので、これら規制部材５１１，５１２，５１５，５１６は遊技盤１０の振動防止機能を果たすようになる。したがって、遊技盤１０の不快な振動が抑制されるようになり、遊技者に快適な遊技環境を提供することができる。
【００５９】
なお、本実施の形態では、規制部材５１１，５１２，５１５，５１６には、遊技盤１０の後方への動きを規制する段差部５１１ａ，５１５ａ，５１６ａ（規制部材５１２の段差部は図示せず）が形成されているので、遊技盤１０が段差部に保持されて後方への動きをも規制されるので、仮固定がより確実になる。
【００６０】
また、本実施の形態では、規制部材として、遊技盤１０の相互に対向する２つの側辺がそれぞれ当接する側辺規制部材５１５，５１６、および遊技盤１０の上辺が当接する上辺規制部材５１１，５１２を設けている。これにより、遊技盤１０の横方向の動きが側辺規制部材５１５，５１６で規制され、上下方向の動きが上辺規制部材５１１，５１２で規制された状態での仮固定となるので、より強固な仮固定が行われるようになる。
【００６１】
ここで、図１１に示すように、規制部材５１１，５１２，５１５，５１６は、遊技盤１０の当接部分Ｓが前方に向かって開いたテーパ状に形成してもよい。このような形状にすれば、テーパ状の当接部分Ｓに遊技盤１０が当接することにより、遊技盤１０が位置ズレを起こしていたとしても、スムーズに規制位置まで導くことがことが可能になる。
【００６２】
また、図１２に示すように、上辺規制部材５１１，５１２には、その先端に遊技盤１０の前面を係止する係止片５１１ｂ，５１２ｂを形成してもよい。
【００６３】
係止片５１１ｂ，５１２ｂを形成すれば、遊技盤１０の上辺を係止片５１１ｂ，５１２ｂにはめ込み、その後ピン部１２１，１４１を取付係合部２２０，２４０にはめ込んで下辺を固定することにより、あるいは、ピン部１２１，１４１を取付係合部２２０，２４０にはめ込んで下辺を固定し、その後遊技盤１０を回動して起こして係止片５１１ｂ，５１２ｂを弾性変形させて押し込み、遊技盤１０の上辺を固定することができる。
【００６４】
これにより、遊技盤１０の盤面に沿った方向への動きのみならず、手前側への動きを規制することができるので、遊技盤１０の本固定の作業を一層容易に行うことが可能になる。
【産業上の利用可能性】
【００６５】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種のゲーム機など、種々の遊技機に適用することが可能である。
【図面の簡単な説明】
【００６６】
【図１】本発明の一実施の形態である遊技機を示す斜視図である。
【図２】図１の遊技機の正面図である。
【図３】図１の遊技機の遊技盤を示す正面図である。
【図４】図１の遊技機において遊技盤を取り外した状態における内部構造を示す正面図である。
【図５】図１の遊技機における取付係合部およびその周辺構造を示す斜視図である。
【図６】図１の遊技機における遊技盤装着領域の向かって左側に設けられた上辺規制部材を示す斜視図である。
【図７】図１の遊技機における遊技盤装着領域の向かって左側に設けられた側辺規制部材を示す斜視図である。
【図８】図１の遊技機における遊技盤装着領域の向かって右側に設けられた側辺規制部材を示す斜視図である。
【図９】図３の遊技盤を本体部に仮固定した状態における規制部材との関係を側面から示す説明図である。
【図１０】図１の遊技機において遊技盤を取り付けた状態における内部構造を示す正面図である。
【図１１】図３の遊技盤を本体部に仮固定した状態における変形例としての規制部材との関係を側面要部から示す説明図である。
【図１２】図３の遊技盤を本体部に仮固定した状態における他の変形例としての規制部材との関係を側面要部から示す説明図である。
【符号の説明】
【００６７】
１  遊技機
２  本体部
３  ガラス扉
４  上皿部
５  下皿部
６  カバー
７  ハンドル
１０  遊技盤
２０  液晶表示装置
３０  遊技盤装着領域
１１０，１２０，１３０，１４０  取付部
１２１，１４１  ピン部
２１０，２２０，２３０，２４０  取付係合部（固定部材）
２１０ａ  可動部材
２１０ｂ  ベース部
３１０  案内溝
３２０  前方向規制部
３３０  軸部
５１１，５１２  上辺規制部材（規制部材）
５１１ａ  段差部
５１１ｂ，５１２ｂ  係止片
５１３，５１４  下辺規制部材
５１５，５１６  側辺規制部材（規制部材）
５１５ａ，５１６ａ  段差部
５１７，５１８  段部
Ｓ  遊技盤の当接部分
【図１】
2006230780.tif 000003
【図２】
2006230780.tif 000004
【図３】
2006230780.tif 000005
【図４】
2006230780.tif 000006
【図５】
2006230780.tif 000007
【図６】
2006230780.tif 000008
【図７】
2006230780.tif 000009
【図８】
2006230780.tif 000010
【図９】
2006230780.tif 000011
【図１０】
2006230780.tif 000012
【図１１】
2006230780.tif 000013
【図１２】
2006230780.tif 000014